(57)【要約】【課題】室内照度を調整し易い日射調整装置を提供する。【解決手段】日射調整装置２０は、回転軸２２と、回転軸２２を回転可能に保持する保持機構３０と、回転軸２２の軸方向に沿って設けられると共に、放射状に突設された複数の板状のルーバー材４０と、を備え、ルーバー材４０は少なくとも１枚の光透過率が他の前記ルーバー材と異なる。【選択図】図２
2020159043.tif 000002
【特許請求の範囲】
【請求項１】
回転軸と、
前記回転軸を回転可能に保持する保持機構と、
前記回転軸の軸方向に沿って設けられると共に、放射状に突設された複数の板状のルーバー材と、を備え、
前記ルーバー材は少なくとも１枚の光透過率が他の前記ルーバー材と異なる日射調整装置。
【請求項２】
前記保持機構には複数の前記回転軸が並列して保持され、
前記回転軸は、前記ルーバー材が建物の窓材との間に空気層を形成するように配置された、請求項１に記載の日射調整装置。
【請求項３】
前記窓材は天窓である、請求項２に記載の日射調整装置。
【発明の詳細な説明】
【技術分野】
【０００１】
本発明は、日射調整装置に関する。
【背景技術】
【０００２】
下記特許文献１には、布を用いて形成されたシェードを引出して、あるいは畳み込んで天窓からの採光を調節する天窓用ブラインドが示されている。
【先行技術文献】
【特許文献】
【０００３】
【特許文献１】特開平７−３００９５４号公報
【発明の概要】
【発明が解決しようとする課題】
【０００４】
上記特許文献１の天窓用ブラインドは、室内が直達日射によって照射されることを抑制するために用いる事ができる。しかし、例えばシェードの光透過率が高い場合、夏期における室内照度が過剰となる虞がある。一方で、シェードの光透過率が低い場合、冬期における室内照度が不足する虞がある。このため、年間を通じて適切な室内照度を確保することが難しい。
【０００５】
本発明は上記事実を考慮して、室内照度を調整し易い日射調整装置を提供することを目的とする。
【課題を解決するための手段】
【０００６】
請求項１の日射調整装置は、回転軸と、前記回転軸を回転可能に保持する保持機構と、前記回転軸の軸方向に沿って設けられると共に、放射状に突設された複数の板状のルーバー材と、を備え、前記ルーバー材は少なくとも１枚の光透過率が他の前記ルーバー材と異なる。
【０００７】
請求項１の日射調整装置は、回転軸の軸方向に沿って、板状のルーバー材が放射状に設けられている。ルーバー材は、少なくとも１枚の光透過率が他のルーバー材と異なる。このため、回転軸を回転させることで、季節や天候に応じてルーバーの外側から内側への光透過率を調整し、室内照度を調整できる。
【０００８】
例えば日射量が多い夏期の光透過率を小さくし、日射量が少ない冬期の光透過率を大きくする。これにより年間を通じて適切な室内照度を確保することができる。
【０００９】
請求項２の日射調整装置は、請求項１に記載の日射調整装置において、前記保持機構には複数の前記回転軸が並列して保持され、前記回転軸は、前記ルーバー材が建物の窓材との間に空気層を形成するように配置されている。
【００１０】
請求項２の日射調整装置によると、ルーバー材と窓との間に空気層が形成される。これにより、室内空間の熱負荷を抑制できる。例えば夏期においてはこの空気層に集熱され、室内空間への日射熱の進入が抑制される。また、冬期においてはこの空気層が断熱層となり、室内空間の暖房負荷が低減される。
【００１１】
請求項３の日射調整装置は、請求項２に記載の日射調整装置において、前記窓材は天窓である。
【００１２】
請求項３の日射調整装置においては、窓材が天窓とされている。このため、鉛直窓と比較して強い直達日射が入射する。これにより、ルーバー材による照度調整効果と熱負荷抑制効果が発揮され易い。
【発明の効果】
【００１３】
本発明に係る日射調整装置によると、室内照度を調整し易い。
【図面の簡単な説明】
【００１４】
【図１】（Ａ）は本発明の実施形態に係る日射調整装置を水平ブラインドとして利用した建物を示す立断図であり、（Ｂ）はバーチカルブラインドとして利用した建物を示す平面図である。
【図２】本発明の実施形態に係る日射調整装置の要部を示す分解斜視図である。
【図３】（Ａ）は本発明の実施形態に係る日射調整装置を遮光モードに設定した状態を示す立面図であり、（Ｂ）は（Ａ）の状態から回転軸を回転させた状態を示す立面図であり、（Ｃ）は（Ｂ）の状態から回転軸を回転させた状態を示す立面図である。
【図４】（Ａ）は本発明の実施形態に係る日射調整装置を透光モードに設定した状態を示す立面図であり、（Ｂ）は（Ａ）の状態から回転軸を回転させた状態を示す立面図であり、（Ｃ）は（Ｂ）の状態から回転軸を回転させた状態を示す立面図である。
【図５】（Ａ）は本発明の実施形態に係る日射調整装置を変形例に係る透光モードに設定した状態を示す立面図であり、（Ｂ）は（Ａ）の状態から回転軸を回転させた状態を示す立面図であり、（Ｃ）は（Ｂ）の状態から回転軸を回転させた状態を示す立面図である。
【図６】（Ａ）は本発明の実施形態に係る日射調整装置を遮熱モードに設定した状態を示す立面図であり、（Ｂ）は（Ａ）の部分拡大図であり、（Ｃ）は集熱モードに設定した状態を示す部分拡大図である。
【図７】（Ａ）は本発明の実施形態に係る日射調整装置においてルーバー材の枚数を少なくした変形例を示す立面図であり、（Ｂ）は（Ａ）の状態から回転軸を回転させた状態を示す立面図であり、（Ｃ）は（Ｂ）の状態から回転軸を回転させた状態を示す立面図である。
【図８】（Ａ）は本発明の実施形態に係る日射調整装置においてルーバー材の枚数を多くした変形例を示す立面図であり、（Ｂ）は（Ａ）の状態から回転軸を回転させた状態を示す立面図であり、（Ｃ）は（Ｂ）の状態から回転軸を回転させた状態を示す立面図である。
【図９】（Ａ）は本発明の実施形態に係る日射調整装置において回転軸を２系統で回転させた場合のルーバー材の配置の例を示す立面図であり、（Ｂ）は回転軸を３系統で回転させた場合のルーバー材の配置の例を示す立面図である。
【発明を実施するための形態】
【００１５】
以下、本発明に係る日射調整装置の実施形態について、図面を参照しながら説明する。各図面において同一の符号を用いて示される構成要素は、同一の構成要素であることを意味する。なお、各図面において重複する構成及び符号については、説明を省略する場合がある。また、本発明は以下の実施形態に限定されるものではなく、本発明の目的の範囲内において、適宜変更を加えて実施することができる。
【００１６】
＜日射調整装置の配置＞
本発明の実施形態に係る日射調整装置２０は、図１（Ａ）、（Ｂ）に示すように、建物１０の開口部１２において、窓材１４の室内側（内側）に配置されるルーバー装置である。日射調整装置２０は、上下方向に開口した開口部１２Ａを閉じる天窓１４Ａの他、横方向に開口した開口部１２Ｂを閉じる鉛直窓１４Ｂの室内側に配置することができる。なお、天窓１４Ａは鉛直方向に開口した開口部１２Ａだけでなく、例えば屋根の傾斜面に開口した開口部を閉じるものとしてもよい。
【００１７】
日射調整装置２０のうち、日射調整装置２０Ａは、後述するルーバー材４０の延設方向が横方向に沿う横ルーバー（水平ブラインド）であり、図１（Ｂ）に示す日射調整装置２０Ｂは、ルーバー材４０の延設方向が上下方向に沿う縦ルーバー（バーチカルブラインド）である。
【００１８】
横ルーバーである日射調整装置２０Ａは、図１（Ａ）に示すように、太陽高度に応じて変化する太陽光の入射角θｈ（鉛直平面内の角度）に応じて日射を調整する装置である。一方、縦ルーバーである日射調整装置２０Ｂは、図１（Ｂ）に示すように、太陽の方角に応じて変化する太陽光の入射角θｄ（水平面内の角度）に応じて日射を調整する装置である。
【００１９】
なお、本明細書において「太陽光の入射角」とは、日射調整装置２０が設置された窓材１４の延設方向と太陽光の入射方向が交わる角度のうち、鋭角側の角度を指すものとする。また、「太陽光」とは直達日射を示しており、散乱光は含まない。
【００２０】
また、以下の説明における日射調整装置２０は、特に説明の無い限り、図１（Ａ）に示す天窓１４Ａの室内側に配置された日射調整装置２０Ａの事を示すものとする。
【００２１】
＜日射調整装置の構成＞
図２に示すように、日射調整装置２０は、回転軸２２と、回転軸２２を回転可能に保持する保持機構３０と、回転軸２２の軸方向に沿って設けられると共に、放射状に突設された複数の板状のルーバー材４０と、を備えている。
【００２２】
（回転軸）
回転軸２２は、軸方向がＸ方向に沿うように設けられた棒状の軸体である。また回転軸２２は、Ｙ方向に沿って並列に複数設けられている。このＸ方向及びＹ方向は、互いに略直交する方向であり、また、それぞれ同一の面内に配置される方向である。
【００２３】
回転軸２２は、図５（Ｂ）、（Ｃ）に示すように、後述するルーバー材４２、４４、４６の何れか１枚が窓材１４の延設方向と略直交する方向に沿って配置された際に、他の２枚のルーバー材が近接するピッチで配置される。なお、「近接する」とは、接して配置される場合を含む。また、ルーバー材同士が互いに離間しており、ルーバー材の先端につけた召合せ部材（不図示）同士が接して配置されている場合を含む。
【００２４】
（保持機構）
保持機構３０は、保持部材３２と、回転ギア３４と、ラック３６と、を含んで形成されている。保持部材３２は、開口部１２（図１参照）の枠に沿って取り付けられる長尺部材である。保持部材３２には、長手方向に沿って回転軸２２の端部を保持する係止孔３２Ａが所定の間隔（回転軸２２のピッチ）で形成されている。
【００２５】
回転ギア３４は、回転軸２２に対して相対回転できないように固定されている。ラック３６は、複数の回転ギア３４と同時に噛み合う十分な長さを備えており、図示しない動力源によって保持部材３２の長手方向に沿って移動可能とされている。これにより、複数の回転軸２２が同時に回転する。
【００２６】
（ルーバー材）
ルーバー材４０は、長辺の一方が回転軸２２に固定された短冊状（帯状）の板材であり、各回転軸２２毎に複数枚ずつ固定されている。具体的には、各回転軸２２には、それぞれ３枚のルーバー材４２、４４、４６が固定されており、それぞれのルーバー材４２、４４、４６における短辺が、回転軸２２から放射状に配置されている。
【００２７】
より詳しくは、ルーバー材４２、４４、４６は、回転軸２２における軸周りの周方向に略１２０度ずつ離間して配置されている。ルーバー材４２、４４、４６は、回転軸２２の回転に同調して回転し、離間角度が維持される。なお、以下の説明においてルーバー材４０はルーバー材４２、４４、４６を総称するものとする。
【００２８】
ルーバー材４２、４４、４６は、それぞれの光透過率が異なっている。ルーバー材４２の光透過率が最も低く（一例として０％以上２０％以下）、ルーバー材４４の光透過率が次いで低く（一例として２０％以上５０％未満）ルーバー材４６の光透過率が最も高い（一例として５０％以上）。
【００２９】
なお、本実施形態における「光透過率」とは、可視光領域の光と、可視光領域より長い波長を持つ光との双方の光の透過率を指すものとする。但し、本発明の実施形態はこれに限らず、可視光領域のみの光の透過率を指すものとしてもよい。
【００３０】
ルーバー材４０の光透過率は、ルーバー材４０を形成する材料（例えばポリカーボネート等）自体の透明度を調整することで適宜変更することができる。あるいはルーバー材４０をアルミなどで形成し、板厚方向に形成した貫通孔の大きさ又はピッチを調整することでルーバー材４０の光透過率を変更することもできる。
【００３１】
＜制御方法＞
日射調整装置２０においては、図示しない制御装置によって保持機構３０を制御して、日射調整装置２０が設置された室内空間の「照度調整」と「熱負荷調整」を行なうことができる。
【００３２】
（照度調整）
照度調整では、「遮光モード」、「透光モード」及び「中間期モード」を設定することができる。図３（Ａ）〜（Ｃ）には、遮光モードにおけるルーバー材４０の動作の一例が示されており、図４（Ａ）〜（Ｃ）には、透光モードにおけるルーバー材４０の動作の一例が示されている。
【００３３】
図３（Ａ）〜（Ｃ）に示す「遮光モード」においては、ルーバー材４０によって、直達日射が室内に入射することを抑制すると共に、透過光による室内の照度を最大限「小さく」する。遮光モードは、例えば夏期の日中に室内が明るくなり過ぎることを抑制したり、一年を通じて日中に室内を暗くしたい場合等に設定される。
【００３４】
遮光モードでは、ルーバー材４２、４４に太陽光が照射されるように制御する。換言すると、遮光モードにおいては光透過率が最も高いルーバー材４６に太陽光が照射されないように制御する。なお、ルーバー材４６は、ルーバー材４２、４４を透過した透過光によって照射されてもよい。
【００３５】
具体的には、太陽光の入射角がθ１（θ１≒７５°）未満の場合、図３（Ａ）に示すようにルーバー材４２を略水平方向に沿うように配置する。
【００３６】
また、太陽光の入射角がθ１以上θ２（θ２≒８０°）未満の場合、図３（Ｂ）に示すように回転軸２２を約１５度回転させて、ルーバー材４２とルーバー材４４との間から日射が室内へ入射することを抑制する。
【００３７】
さらに、太陽光の入射角がθ２以上（かつθ３＝９０°以下）の場合、図３（Ｃ）に示すように回転軸２２をさらに約１５度回転させて、ルーバー材４２とルーバー材４４との間から日射が室内へ入射することを抑制する。
【００３８】
遮光モードでは、太陽光はルーバー材４２、４４を通過して室内へ入射する。例えばルーバー材４２、４４の光透過率をそれぞれ０％、２０％とした場合、これらのルーバー材４２、４４を透過する太陽光の透過率は、ルーバー材４２、４４の面積割合[太陽光の入射方向の投影面積割合α：（１−α）、０＜α＜１]に応じて０％より大きく２０％より小さい値［約Ｘ％、Ｘ＝０×α＋２０×（１−α）]となる。
【００３９】
なお、ルーバー材４２、４４の透過率は、太陽光がルーバー材４２、４４の表面の法線方向に沿って入射する際に最も大きくなる。また、太陽光の入射角度がルーバー材４２、４４の表面に沿う程、透過率は小さくなる。このように、ルーバー材４２、４４の角度と太陽光の角度とを考慮して、透過率をより詳細に検討することもできる。
【００４０】
図４（Ａ）〜（Ｃ）に示す「透光モード」においては、ルーバー材４０によって、直達日射が室内に入射することを抑制すると共に、透過光による室内の照度を最大限大きくする。透光モードは、例えば冬期の日中に室内が暗くなり過ぎることを抑制したり、一年を通じて日中に室内を明るくしたい場合等に設定される。
【００４１】
透光モードでは、ルーバー材４４、４６に太陽光が照射されるように制御する。換言すると、透光モードにおいては光透過率が最も低いルーバー材４２に太陽光が照射されないように制御する。なお、ルーバー材４２は、ルーバー材４４、４６を透過した透過光によって照射されてもよい。
【００４２】
透光モードにおけるルーバー材４２、４４、４６の配置は、それぞれ遮光モードにおけるルーバー材４６、４２、４４の配置に対応している。透光モードにおける回転軸２２の動かし方は遮光モードと同様であり説明を省略する。
【００４３】
透光モードでは、太陽光はルーバー材４４、４６を通過して室内へ入射する。例えばルーバー材４４、４６の光透過率をそれぞれ２０％、５０％とした場合、これらのルーバー材４４、４６を透過する太陽光の透過率は、ルーバー材４４、４６の面積割合[太陽光の入射方向の投影面積割合β：（１−β）、０＜β＜１]に応じて２０％より大きく５０％より小さい値［約Ｙ％、Ｙ＝２０×β＋５０×（１−β）]となる。
【００４４】
なお、透光モードにおいて、ルーバー材４４、４６を透過する太陽光の透過率が、２０％より大きく５０％より小さい値（Ｙ％）となることを説明したが、例えばルーバー材４６を透過した透過光は、さらにルーバー材４２に入射する。このため、ルーバー材４２の光透過率に応じて、室内空間へ入射する太陽光の透過率はＹ％より低減される。
【００４５】
ルーバー材４２の光透過率はルーバー材４４、４６と比較して小さいため、ルーバー材４２の角度によっては、室内に所望の照度を得られない場合がある。このような場合は、例えば図５（Ａ）〜（Ｃ）に示すように、ルーバー材４２の延設方向の角度が、太陽光の入射角と等しくなるように、回転軸２２を常時回転させることもできる（無段階調整）。あるいは、室内に所望の照度を得られる程度に、回転軸２２を回転させる頻度を調整することもできる。
【００４６】
図示は省略するが、「中間期モード」においては、ルーバー材４０によって、直達日射が室内に入射することを抑制すると共に、「透光モード」では、例えば春期や秋期などの中間期において室内の照度が高すぎ、かつ、「遮光モード」では照度が低すぎる場合等に用いられる。なお、中間期モードも一年を通して用いる事ができる。
【００４７】
中間期モードでは、ルーバー材４２、４６に太陽光が照射されるように制御する。換言すると、中間期モードにおいては光透過率が二番目に低いルーバー材４４に太陽光が照射されないように制御する。なお、ルーバー材４４は、ルーバー材４２、４６を透過した透過光によって照射されてもよい。
【００４８】
（熱負荷調整）
図６（Ａ）に示すように、開口部１２において日射調整装置２０は、窓材１４から離間して配置されている。また、ルーバー材４０は窓材１４の略全面に亘って配置され、窓材１４との間に空気層Ｖを形成している。
【００４９】
熱負荷調整においては、「遮熱モード」及び「集熱モード」を設定することができる。図６（Ａ）、（Ｂ）には、遮熱モードにおけるルーバー材４０の配置の一例が示されており、図６（Ｃ）には、集熱モードにおけるルーバー材４０の配置の一例が示されている。
【００５０】
図６（Ｂ）に示す「遮熱モード」では、例えば夏期において室内照度を確保しつつ、空気層Ｖを熱溜まりとして利用し、室内の日射熱取得を抑制する。遮熱モードでは、最も光透過率の低いルーバー材４２を鉛直方向上向きに配置する。これにより空気層Ｖの内部において日射が遮られるため、室内空間の熱取得を抑制できる。
【００５１】
一方、図６（Ｃ）に示す「集熱モード」では、例えば冬期において室内照度を確保しつつ、空気層Ｖを断熱層として利用し、コールドドラフトを抑制する。集熱モードでは、最も光透過率の低いルーバー材４２を鉛直方向下向きに配置する。これにより遮熱モードと比較して空気層Ｖの内部において日射が遮られ難いため、室内空間の熱取得を促進できる。
【００５２】
なお、遮熱モード及び集熱モードにおいては、空気層Ｖに熱が溜められる。この熱は、デシカント空調機やデシカント式除湿器におけるデシカント材の再生や、給湯用熱源、暖房用熱源等として用いる事ができる。このように、溜められた熱を再利用する観点からは、ルーバー材４２を明度の低い色彩（例えば黒色）として、蓄熱および放熱させることが好ましい。
【００５３】
一方、室内照度確保の観点からは、ルーバー材４２を明度の高い色彩（例えば白色）として、太陽光を反射させ易くすることが好ましい。ルーバー材４２の明度については、日射調整装置２０が適用される場所に応じて、適宜選択することができる。
【００５４】
また、空気層Ｖに溜められた熱が空気層Ｖの外部へ排出される際に、ルーバー材４４とルーバー材４６との間の隙間等から空気層Ｖへ、室内の空気が流入する。例えば室内空間に吸気口を設けることで、空気層Ｖに溜められた熱を駆動力として空気を対流させる自然換気システムを構築することができる。
【００５５】
なお、日射調整装置２０は、以上説明した熱負荷調整機能を備えていなくてもよい。すなわち、本発明に係る日射調整装置２０は、少なくとも照度調整機能を備えていればよい。
【００５６】
＜作用・効果＞
本発明の実施形態に係る日射調整装置２０は、図２に示すように、回転軸２２の軸方向に沿って、板状のルーバー材４０（ルーバー材４２、４４、４６）が放射状に設けられている。ルーバー材４２、４４、４６は、光透過率がそれぞれ異なる。このため、図３、図４、図５に示すように、回転軸２２を回転させることで、季節や天候に応じて、ルーバー材の外側（窓側）から内側（室内側）への光透過率を調整し、室内照度を調整できる。
【００５７】
例えば図３を用いて説明したように日射量が多い夏期の光透過率を小さくし（遮光モード）、図４を用いて説明したように日射量が少ない冬期の光透過率を大きくする（透光モード）。これにより年間を通じて適切な室内照度を確保することができる。
【００５８】
また、日射調整装置２０によると、図６に示すように、ルーバー材４０と窓材１４との間に空気層Ｖが形成されている。これにより、室内空間の熱負荷を抑制できる。例えば夏期においてはこの空気層Ｖに集熱され、室内空間への日射熱の進入が抑制される。また、冬期においてはこの空気層Ｖが断熱層となり、室内空間の暖房負荷が低減される。
【００５９】
また、図６に示した例においては、窓材１４は天窓（天窓１４Ａ、図１（Ａ）参照）とされている。このため、鉛直窓（鉛直窓１４Ｂ、図１（Ａ）参照）と比較して、太陽高度が高い時間帯の強い直達日射が入射する。これにより、ルーバー材４０による照度調整効果と熱負荷抑制効果を発揮し易い。
【００６０】
なお、本発明の実施形態に係る日射調整装置２０においては、図２に示すように、ルーバー材４２、４４、４６の光透過率が全て異なるものとしたが、本発明の実施形態はこれに限らない。例えば３枚のルーバー材の光透過率のうち、１枚だけが他の２枚と異なるものとしてもよい。この場合、１枚だけ光透過率を高くしてもよいし、低くしてもよい。
【００６１】
また、日射調整装置２０においては、図２に示すように、異なる回転軸２２が同一のラック３６によって回転させられている。すなわち、日射調整装置２０は単一系統によって制御されている。このため、ルーバー材の配置を「遮光モード」、「透光モード」、「中間期モード」として、室内の照度を調整することができる。但し本発明の実施形態はこれに限らず、日射調整装置２０は複数の系統によって制御してもよい。
【００６２】
例えば図９（Ａ）には、互いに隣り合う回転軸２２を異なる系統（２系統）で制御した場合のルーバー材４２、４４、４６の配置例が示されている。互いに隣り合う回転軸２２を異なる系統で制御することにより、図３等に示すように各ルーバー材の向きを揃えて配置できるほか、図９（Ａ）に示すように各ルーバー材の向きを１８０度回転させて配置することもできる。これにより、透過光の見え方を調整したり照度調整の精度を向上させることができる。
【００６３】
また、例えば回転軸２２を３系統以上で制御することにより、図９（Ｂ）に示すように、ルーバー材４２、４４、４６の配置を不規則にすることができる。これにより日射調整装置２０を室内から視認した見た目や透過光の光にムラを生じさせて意匠的な特徴とすることができる。
【００６４】
また、日射調整装置２０においては、３枚のルーバー材４２、４４、４６を回転軸２２に固定しているが、本発明の実施形態はこれに限らない。一例として、図７（Ａ）〜（Ｃ）に示すように、２枚のルーバー材５２、５４を回転軸２２に放射状に固定してもよい。これらのルーバー材５２、５４はそれぞれ光透過率が異なるものとする。ルーバー材５２、５４はそれぞれ略直交するように配置されているが、３０°、６０°、１２０°、１８０°等、任意の角度とすることができる。
【００６５】
また別の一例として、図８（Ａ）〜（Ｃ）に示すように、４枚のルーバー材６２、６４、６６、６８を回転軸２２に放射状に固定してもよい。この図に示したルーバー材６２、６４、６６、６８はそれぞれ光透過率が異なるが、少なくとも１枚の光透過率が他と異なればよい。
【００６６】
なお、ルーバー材６２、６４は、回転軸２２の周方向に１８０°離隔して設置され、ルーバー材６６、６８は、ルーバー材６２、６４と９０°離隔して設置されている。ルーバー材６２、６４は、ルーバー材６６、６８より光透過率が低い。これにより、図７（Ａ）に示した透光モード及び図７（Ｃ）に示した遮光モードにおける光透過率の差を大きくすることができる。
【００６７】
このように、日射調整装置２０において回転軸２２に固定するルーバー材の枚数は特に制限されるものではなく、回転軸２２に突設されるものであればよい。
【００６８】
また、日射調整装置２０においては回転軸２２が複数設けられているが、本発明の実施形態はこれに限らない。例えば回転軸２２を１つだけとすることができる。このような日射調整装置においても、複数のルーバー材の光透過率を一様としないことにより室内照度を調整することができる。
【００６９】
また、本実施形態においては、日射調整装置２０を、図１（Ａ）、（Ｂ）等に示すように、窓材１４（天窓１４Ａ又は鉛直窓１４Ｂ）の室内側（内側）に配置したが、本発明の実施形態はこれに限らない。すなわち、日射調整装置２０は窓材１４の室外側(外側)に配置してもよい。この場合、窓材１４の室外側は屋外空間としてもよいし、部分的に屋外へ開放された半屋外空間としてもよい。日射調整装置２０を窓材１４の室外側に設けても、室内における照度調整機能（日射調整効果）を得ることができる。以上説明したように、本発明は様々な態様で実施することができる。
【符号の説明】
【００７０】
１０    建物
１４    窓材
１４Ａ  天窓（窓材）
１４Ｂ  鉛直窓（窓材）
２０    日射調整装置
２０Ａ  日射調整装置
２０Ｂ  日射調整装置
２２    回転軸
３０    保持機構
４０    ルーバー材
４２    ルーバー材
４４    ルーバー材
４６    ルーバー材
５２    ルーバー材
５４    ルーバー材
６２    ルーバー材
６４    ルーバー材
６６    ルーバー材
６８    ルーバー材
Ｖ      空気層
【図１】
2020159043.tif 000003
【図２】
2020159043.tif 000004
【図３】
2020159043.tif 000005
【図４】
2020159043.tif 000006
【図５】
2020159043.tif 000007
【図６】
2020159043.tif 000008
【図７】
2020159043.tif 000009
【図８】
2020159043.tif 000010
【図９】
2020159043.tif 000011